(57)【要約】【課題】  簡易に設置し使用することのできる共聴システムを提供する。【解決手段】  任意の共聴信号を受信する受信部１と該受信部１にて受信した共聴信号を各端末受像装置３に伝送する有線経路４とを備える共聴システムにおいて、任意の映像信号が入力されその周波数を上り帯域に変調して有線経路に送出する変調器２５を備え、受信部１と端末受像装置３との間の有線経路４には、変調器２５によって送出された上り帯域の周波数の信号を下り帯域の周波数の信号に変換して送出する上り下り変換装置３０を備えてなる。【選択図】  図１
2006054882.tif 000002
【特許請求の範囲】
【請求項１】
任意の共聴信号を受信する受信部と該受信部にて受信した共聴信号を各端末受像装置に伝送する有線経路とを備える共聴システムにおいて、
任意の映像信号が入力されその周波数を上り帯域に変調して前記有線経路に送出する変調器を備え、
前記受信部と端末受像装置との間の前記有線経路には、前記変調器によって送出された上り帯域の周波数の信号を下り帯域の周波数の信号に変換して前記共聴信号と混合送出する上り下り変換装置を備えてなることを特徴とする共聴システム。
【請求項２】
前記上り下り変換装置は、
上り帯域の周波数の信号を取得する信号取得手段と、
前記信号取得手段によって取得された信号を前記共聴信号の周波数帯域に含まれない周波数の信号で発振させて、前記共聴信号の周波数帯域の信号に変換する変換手段と、
前記変換手段により変換された信号を前記共聴信号と混合する混合手段と、
を備えてなることを特徴とする請求項１に記載の共聴システム。
【請求項３】
任意の共聴信号を受信する受信部と該受信部で受信した共聴信号が伝送される端末受像装置との間の有線経路に設けられる上り下り変換装置であって、
任意の映像信号が上り帯域の周波数に変調された信号を前記有線経路を介して受信すると、下り帯域の周波数の信号に変換し前記共聴信号と混合して前記有線経路に送出することを特徴とする上り下り変換装置。
【請求項４】
上り帯域の周波数の信号を取得する信号取得手段と、
前記信号取得手段によって取得された信号を前記共聴信号の周波数帯域に含まれない周波数の信号で発振させて、前記共聴信号の周波数帯域の信号に変換する変換手段と、
前記変換手段により変換された信号を前記共聴信号と混合する混合手段と、
を備えてなることを特徴とする請求項３に記載の上り下り変換装置。
【発明の詳細な説明】
【技術分野】
【０００１】
本発明は、受信部にて受信した共聴信号を各端末受像装置に伝送する有線経路を備える共聴システムにおいて、簡易に設置し使用することのできる共聴システムに関するものである。
【背景技術】
【０００２】
マンション等の共同住宅において全住戸に対して連絡事項を伝える必要がある場合に、共同住宅の敷地内、例えばエレベータホール等に掲示板を設け、該掲示板に張り紙を張ることで連絡事項を告知する方法や連絡事項を記載した回覧物を順次回覧させる方法によって全住戸に連絡事項を伝えることが考えられる。しかし掲示板を設けて告知する方法では、共同住宅の美観を損ねるといった問題や掲示板に子供がいたずらをするおそれがあるといった問題があり、また回覧物を順次回覧させる方法では、回覧するのを忘れたりあるいは留守がちな住戸などがあるため全住戸に回覧させるまでにはかなりの日時がかかってしまうという問題がある。
【０００３】
近年ではこのような問題に鑑みて、共同住宅の共聴システムを利用して連絡事項を全住戸に伝えるシステムが提供されている。このシステムは、全住戸に対する連絡事項として複数の掲示画面を記憶することができ、順次１画面ずつ切り替えて映像や音声の信号をテレビの空きチャンネルに割り当て、共聴システム内の信号と混合して各住戸に伝送するものである。これにより各住戸のテレビを前記チャンネルに合わせれば、連絡事項に対応した映像、音声がテレビに出力されることとなる。
【０００４】
ここで、従来の共聴システムの構成図を図７に示す。前記共聴システムは、ＶＨＦ、ＵＨＦ、ＢＳ、ＣＳなどの地上波・衛星波を受信するアンテナを全住戸で共有することによって、高品質の映像信号及び音声信号（以下、映像信号及び音声信号を総称して映像音声信号という。）を各住戸に安定供給するものである。この共聴システムは、前記ＶＨＦ、ＵＨＦなどの信号を受信するアンテナ群１ａ及びこれらのアンテナ群１ａによって受信された信号を混合する混合器１ｂからなる受信部１と、この受信部１により受信した信号（以下、共聴信号という。）を各住戸２において映像及び音声として出力する端末受像装置としてのテレビ３と、から構成される。
【０００５】
ここで前記受信部１には幹線ケーブル４が接続され、この幹線ケーブル４の途中には、分配器又は分岐器を設置することにより複数の分岐点５が設けられる。さらにこの分岐点５からは分岐ケーブル６が各住戸２に向かって延びており、該分岐ケーブル６の他端は各住戸の壁面などに設けられたテレビ端子７に接続される。前記テレビ端子７には各住戸のテレビがテレビケーブル８を介して接続される。これら幹線ケーブル４、分岐ケーブル６、テレビケーブル８には同軸ケーブルが用いられ、これらのケーブルは前記受信部１から各住戸のテレビに共聴信号を伝送する有線経路を形成する。なお前記幹線ケーブル４には、入力された信号を増幅する増幅器９が共同住宅の規模に応じて所々に設けられており、前記共聴信号はこの増幅器９を通過することで、所定の出力に増幅されて各住戸のテレビ３に伝送される。
【０００６】
従来の共聴システムにおいては、各住戸２に対して連絡事項を伝えようとする者（以下、発信者という。）の部屋（例えば管理人室や守衛室）に各住戸に連絡事項を音声及び映像の信号として発信可能な掲示装置１００が設けられ、幹線ケーブル４の増幅器９と受信部１との間には掲示装置１００から発信された信号を共聴信号と混合する混合器１０１が設けられる。掲示装置１００は、同軸ケーブル１０２を介して混合器１０１と接続されている。掲示装置１００から発信された信号が、同軸ケーブル１０２を介して伝送され、混合器１０１にて共聴システムの共聴信号と混合されることで連絡事項としての映像音声が各住戸のテレビ３に出力される。
【０００７】
ここで図示はしないが、掲示装置１００は、映像音声信号を入力する入力端子と、該入力端子に入力された映像音声信号を所定の周波数に変換する変調器と、を備えてなり、前記入力端子に入力された連絡事項としての映像音声信号が前記変調器により所定の周波数に変調され出力される。なお掲示装置１００に入力される映像音声信号の作成には、原稿台の上にカメラが設置されたビュアーなどの映像信号を出力可能な装置又はマイク、テープレコーダーなどの音声信号を出力可能な装置を用いることができる。
【０００８】
掲示装置１００の変調器に入力された映像音声信号が変調される所定の周波数は、連絡事項としての映像音声信号が出力されるテレビのチャンネルに対応するものである。例えばＵＨＦの13チャンネル（映像周波数471.25MHz 、音声周波数475.75MHz ）に連絡事項を出力したいのであれば、変調器は映像信号を471.25MHz に、音声信号を475.75MHz に変調して出力する。したがって変調器をテレビの所定の空きチャンネルに変調するように設定すれば、各住戸２ではテレビ３を前記所定のチャンネルに設定すれば連絡事項としての映像及び音声を視聴することが可能となる。
【０００９】
ところで掲示装置１００から発信された信号は、同軸ケーブル１０２によって伝送され、上述のように前記幹線ケーブル４の受信部１の出力側の混合器１０１によって共聴信号と混合される。このように幹線ケーブル４の受信部１の出力側にて混合する理由は、受信部１の出力する共聴信号と同様にすべての住戸に映像音声信号を出力するためであり、また、共聴信号の送出側である受信部１の出力側で、共聴信号の出力レベルと映像音声信号の出力レベルを合わせて混合することで両方の信号を同じ鮮明な画像としてすべての住戸２のテレビ３に映し出すことができるためである。
【００１０】
このような理由により、従来の共聴システムでは、掲示装置１００から発信された信号を幹線ケーブル４の受信部１の出力側にて共聴信号と混合し、掲示装置１００からの映像音声信号を各住戸のテレビ３に出力していた。
【発明の開示】
【発明が解決しようとする課題】
【００１１】
しかしながら従来の共聴システムにおいては、掲示装置１００から発信された信号を幹線ケーブル４の受信部１の出力側にて共聴信号と混合しなければならなかったため、掲示装置１００が設置される発信者の部屋、例えば管理人室等から前記受信部１付近まで同軸ケーブル１０２を引かなければならなかった。したがって前記発信者の部屋と受信部１付近までを長い同軸ケーブル１０２によって接続しなければならなかったため、共聴システムにおける電子掲示板システムの設置工事が困難であり、また設備のコストが高かった。
【００１２】
特に既存の共同住宅に従来の電子掲示板システムを設置する場合においては、前記同軸ケーブル１０２の敷設にあたり、既存の建物の壁面に穴を開けてケーブルを通したり、既存の設備を維持するために前記同軸ケーブル１０２を迂回させなければならないなどの問題があったため、その設置工事はより一層困難であった。本発明は、このような従来の問題点を鑑みてなされたもので、簡易に設置し使用することのできる共聴システムを提供することを目的とする。
【課題を解決するための手段】
【００１３】
このような従来の共聴システムにおける問題点を解決するために、請求項１に記載の本発明は、任意の共聴信号を受信する受信部と該受信部にて受信した共聴信号を各端末受像装置に伝送する有線経路とを備える共聴システムにおいて、
任意の映像信号が入力されその周波数を上り帯域に変調して前記有線経路に送出する変調器を備え、
前記受信部と端末受像装置との間の前記有線経路には、前記変調器によって送出された上り帯域の周波数の信号を下り帯域の周波数の信号に変換して前記共聴信号と混合送出する上り下り変換装置を備えてなることを特徴として構成されている。
【００１４】
また、請求項２に記載の本発明は、前記請求項１に記載の本発明において、前記上り下り変換装置は、
上り帯域の周波数の信号を取得する信号取得手段と、
前記信号取得手段によって取得された信号を前記共聴信号の周波数帯域に含まれない周波数の信号で発振させて、前記共聴信号の周波数帯域の信号に変換する変換手段と、
前記変換手段により変換された信号を前記共聴信号と混合する混合手段と、
を備えてなることを特徴として構成されている。
【００１５】
さらに、請求項３に記載の本発明は、任意の共聴信号を受信する受信部と該受信部で受信した共聴信号が伝送される端末受像装置との間の有線経路に設けられる上り下り変換装置であって、
任意の映像信号が上り帯域の周波数に変調された信号を前記有線経路を介して受信すると、下り帯域の周波数の信号に変換し前記共聴信号と混合して前記有線経路に送出することを特徴として構成されている。
【００１６】
また、請求項４に記載の本発明は、前記請求項３に記載の本発明において、上り帯域の周波数の信号を取得する信号取得手段と、
前記信号取得手段によって取得された信号を前記共聴信号の周波数帯域に含まれない周波数の信号で発振させて、前記共聴信号の周波数帯域の信号に変換する変換手段と、
前記変換手段により変換された信号を前記共聴信号と混合する混合手段と、
を備えてなることを特徴として構成されている。
【発明の効果】
【００１７】
本発明に係る共聴システムは、任意の映像信号が入力されその周波数を上り帯域に変調して有線経路に送出する変調器を備え、受信部と端末受像装置との間の有線経路には、変調器によって送出された上り帯域の周波数の信号を下り帯域の周波数の信号に変換して共聴信号と混合送出する上り下り変換装置を備えてなることにより、変調器から受信部付近まで同軸ケーブルを別に１本設ける必要がないため、きわめて容易に映像や音声信号を各住戸に送出するシステムの設置ができるという効果がある。
【００１８】
また上り下り変換装置は上り帯域の周波数の信号を取得する信号取得手段と、信号取得手段によって取得された信号を共聴信号の周波数帯域に含まれない周波数の信号で発振させて、信号取得手段によって取得された信号の周波数を共聴信号の周波数帯域に変換する変換手段と、変換手段により変換された信号を共聴システムの共聴信号と混合する混合手段と、を備えてなることにより、発振周波数の共聴信号への影響を少なくすることができ、安定した映像音声信号を各住戸に提供できるという効果がある。
【発明を実施するための最良の形態】
【００１９】
以下、本発明の一実施形態について図面を参照して詳細に説明する。図１は本実施形態の共聴システムの全体の構成を示す図、図２は図１に係る掲示装置の構成を示す図、図３は図２に係る掲示装置の記憶部の構成を示す図、図４は図２に係る掲示装置の上り変調器の構成を示す図、図５は図１に係る上り下り変換装置の構成を示す図、図６は図５に係る上り下り変換装置内での信号の周波数変化を示す図である。
【００２０】
図１に示すように、本発明たる共聴システムは、ＶＨＦ、ＵＨＦの地上波、ＢＳ、ＣＳの衛星波を受信するアンテナ群１ａ及びこれらのアンテナ群１ａによって受信された信号を混合する混合器１ｂからなる受信部１と、該受信部１により受信した信号を各住戸２において映像音声として出力する端末受像装置としてのテレビ３と、各住戸に対する連絡事項を映像音声信号として発信する掲示装置２０と、前記掲示装置２０から発信された映像音声信号を取得し各住戸２向けに該映像音声信号を送出する上り下り変換装置３０と、を備えてなる。
【００２１】
前記掲示装置２０は、各住戸２に設けられたテレビ端子７の１つに同軸ケーブル２１を介して接続され、前記上り下り変換装置３０は幹線ケーブルの受信部１の出力側に設けられる。本発明のシステムは、前記掲示装置２０によって連絡事項を映像音声信号として発信すると共に、該掲示装置２０から発信された信号を前記上り下り変換装置３０によって取得し各住戸２向けに送出するものである。この上り下り変換装置３０による送出によって連絡事項としての映像及び音声を各住戸のテレビ３に出力することができる。
【００２２】
掲示装置２０は、発信者の部屋に設置され予め記憶された連絡事項としての映像音声信号を発信するものであり、図２に示すように映像信号を入力する映像入力端子２２と、音声信号を入力する音声入力端子２３と、映像入力端子２２に入力された映像信号を複数画面格納し、必要に応じて１画面ずつ順に再生する記憶手段たる記憶部２４と、記憶部２４に格納された映像信号及び前記音声信号を上り帯域の所定の周波数に変調して出力する上り変調器２５と、上り変調器２５により変調された信号を出力する出力端子２６と、を同一筐体内に備えてなる。
【００２３】
従来と同様に、掲示装置２０の映像入力端子２２及び音声入力端子２３には、映像信号を出力可能な装置及び音声信号を出力可能な装置により出力された信号が入力される。前記映像入力端子２２には映像信号がアナログ信号として入力されるが、前記記憶部２４は、該映像入力端子２２に入力された映像信号をデジタル化して格納し、また必要に応じて前記デジタル化された映像信号をアナログ化して再生出力するものである。なお、必要に応じてデジタルデータを記憶部２４に入力して、そのままメモリ２４ｂに記憶させてもよい。このような記憶部２４を掲示装置２０に設けることによって、発信者は連絡事項としての映像信号を予め該記憶部２４に複数画面格納しておき、実際に発信の必要が生じたときに記憶部２４に格納された映像信号から任意の映像信号を選択して各住戸に発信することが可能となる。この記憶部２４の詳細については後述する。
【００２４】
ここで従来の掲示装置１００では、上述のように各住戸に対する連絡事項としての映像音声信号を、該映像音声信号が出力されるテレビのチャンネルに対応する周波数、すなわち周波数70MHz 以上の下り帯域の信号に変調して出力していた。一方、本実施形態における掲示装置２０の上り変調器２５では、前記掲示装置２０の記憶部２４によって再生出力された映像信号と掲示装置２０の音声入力端子２３に入力された音声信号を上り帯域（0 〜50MHz 近辺）の信号に変調して映像音声信号を出力する。この上り変調器２５の詳細については後述する。
【００２５】
次に前記掲示装置２０の記憶部２４について詳細に説明する。掲示装置２０の記憶部２４は、図３に示すように、映像入力端子２２に入力されたビュアー等で取り込んだ掲示画面であるアナログ信号をデジタル信号に変換するＡ／Ｄ変換器２４ａと、Ａ／Ｄ変換器２４ａによって変換されたデジタル信号を格納するメモリ２４ｂと、該メモリ２４ｂに対する読み書き及び信号の入出力を制御する制御部２４ｃと、メモリ２４ｂに格納されたデジタル信号をアナログ信号に変換するＤ／Ａ変換器２４ｄと、を備えてなる。
【００２６】
前記掲示装置２０の映像入力端子２２に入力された映像信号は、図示しないスイッチを発信者が操作することにより前記記憶部２４のＡ／Ｄ変換器２４ａに入力される。記憶部２４のＡ／Ｄ変換器２４ａは、入力されたアナログ映像信号をデジタル映像信号に変換して記憶部２４の制御部２４ｃへ出力する。ここで記憶部２４の制御部２４ｃは、変換されたデジタル信号を受け取ると共に、デジタル信号を記憶部２４内のメモリ２４ｂに書き込み格納する。メモリ２４ｂには複数の画面を格納でき、予め設定された任意の複数画面、例えば６つの静止画像に係る映像信号を格納しておくことができる。
【００２７】
また制御部２４ｃは、所定の時間が経過するたびにメモリ２４ｂから映像信号を読み出し、読み出したデジタル映像信号を記憶部２４のＤ／Ａ変換器２４ｄへ出力する。なお、発信者が図示しない設定スイッチを操作することにより、複数の静止画像に係る映像信号の各住戸への発信、非発信を静止画像毎に任意に設定することができる。記憶部２４のＤ／Ａ変換器２４ｄは、記憶部２４の制御部２４ｃによって読み出されたデジタル信号をアナログ信号に変換して掲示装置２０の上り変調器２５へ出力する。
【００２８】
次に掲示装置２０の上り変調器２５について詳細に説明する。掲示装置２０の上り変調器２５は、図４に示すように入力された信号を変調して出力する変調回路２５ａと、信号を増幅する増幅器２５ｂ，２５ｂと、発信する映像音声信号の周波数のみを透過する帯域フィルタ２５ｃ，２５ｃと、前記帯域フィルタ２５ｃを透過した映像音声信号を混合する混合器２５ｄと、を備えてなる。
【００２９】
上述したように掲示装置２０の上り変調器２５には前記掲示装置２０の記憶部２４により出力された映像信号と、掲示装置２０の音声入力端子２３に入力された音声信号が入力される。これら入力された信号はそれぞれ前記上り変調器２５の変調回路２５ａにより上り帯域内の所定の周波数に変調され、変調された映像音声信号は前記上り変調器２５の増幅器２５ｂ，２５ｂによりそれぞれ増幅される。この増幅された信号は前記帯域フィルタ２５ｃ，２５ｃを透過することによって変調された映像信号と音声信号の周波数以外の信号成分が除去される。このように帯域フィルタ２５ｃを透過した映像信号と音声信号は、上り変調器２５内の混合器２５ｄによって混合される。混合器２５ｄから出力された映像音声信号は掲示装置２０の出力端子２６に至り、出力端子２６に接続された同軸ケーブル２１を介して上り下り変換装置３０へ発信される。
【００３０】
このように掲示装置２０に入力された映像音声信号は、所定の上り帯域内の周波数に変調されて出力され、テレビ端子７、幹線ケーブル４を介して前記上り下り変換装置３０へ伝送される。なお発信された映像音声信号が上り下り変換装置３０に到達するだけでなく、たとえ分岐点５を経由して各住戸のテレビ３に前記映像音声信号が到達したとしても、掲示装置２０から発信される信号に用いられる上り帯域(0〜50MHz 近辺)にはテレビのチャンネルが割り当てられていないため、該映像音声信号が各住戸のテレビ３の出力に影響を与えることはない。なお、上り変調器２５の変調回路２５ａで変調する上り帯域の周波数は、上り帯域内の周波数であれば特に限定はされないが、中間周波数（例えば映像信号に45.75MHz、音声信号に41.25MHz）を使用してもよい。この中間周波数を使用すれば、帯域フィルタ２５ｃを中間周波数の信号のみを透過する安価なＳＡＷフィルタにすることができるため、上り変調器２５を容易に製作することができる。
【００３１】
次に上り下り変換装置３０について詳細に説明する。前記上り下り変換装置３０は、図５に示すように、掲示装置２０から発信された上り帯域の周波数の信号を取得する信号取得手段としてセパレータ３１と、該セパレータ３１により取得された上り帯域の周波数の信号を発振させ該信号の周波数を変換する変換手段としての１次局部発振器３２と、１次局部発振器３２の発振により取得された信号のうち所定の周波数帯域の信号を透過させる帯域フィルタ３３と、帯域フィルタ３３を透過した信号を発振させ該信号の周波数を変換する変換手段としての２次局部発振器３４と、該２次局部発振器３４の発振により取得された信号のうち低域の周波数帯域の信号を透過させる低域透過フィルタ３５と、該低域透過フィルタ３５を透過した信号を前記共聴信号と混合する混合手段としての混合器３６と、を備えてなる。
【００３２】
前記上り下り変換装置３０のセパレータ３１は信号を周波数によって分類し、上り帯域の信号のみを取り出す。前記掲示装置２０から出力され上り下り変換装置３０にまで伝送された映像音声信号は上り帯域であるので、該セパレータ３１により掲示装置２０から出力された映像音声信号が上り下り変換装置３０内に取得される。一方、前記共聴信号は下り帯域であるためセパレータ３１によって上り下り変換装置３０内に共聴信号が取得されることはなく、そのまま各住戸側に出力される。
【００３３】
以下に上り下り変換装置３０に映像音声信号が取得されたときの動作を説明する。なお映像信号についてのみ説明を行い、音声信号については説明を省略するが、音声信号についても映像信号と同様である。また、掲示装置２０から映像音声信号を中間周波数に変調して上り下り変換装置３０側に出力し、ＵＨＦの13チャンネルで共聴信号と混合する場合を例にとり説明する。上り下り変換装置の１次局部発振器３２は、セパレータ３１によって取得された上り帯域の信号、すなわち掲示装置２０から発信された映像信号（周波数ｆ1＝45.75MHz）を例えば周波数Ｆ1 （＝840MHz）で発振させる。これにより図６（ａ）に示すように周波数がｆ21＝Ｆ1 −ｆ1(＝794.25MHz)とｆ22＝Ｆ1 ＋ｆ1 （＝885.75MHz ）である２つの信号が現れる。ここで１次局部発振器３２にて用いられる周波数Ｆ1 は、共聴信号のために割り当てられている周波数帯域（以下、共聴信号の周波数帯域という。）の範囲に入らないようにする。ちなみに共聴信号の周波数帯域としては、ＶＨＦについて90〜222MHz、ＵＨＦについて470 〜770MHzの帯域が割り当てられている。
【００３４】
ここで上り下り変換装置の帯域フィルタ３３は、所定の周波数帯域の信号のみを透過するもので、本実施形態では１次局部発振器３２により現れた２つの信号のうち周波数ｆ22の信号のみを透過し、周波数ｆ21の信号を阻止する。したがって該帯域フィルタ３３に透過させることによって、周波数ｆ22の信号が２次局部発振器３４に入力されることとなる。前記上り下り変換装置の２次局部発振器３４は、前記帯域フィルタ３３を透過した周波数ｆ22の信号を例えば周波数Ｆ2 （＝1270MHz ）で発振させる。これにより図６（ｂ）に示すように周波数がｆ31＝Ｆ2 −ｆ22（＝475.75MHz ）とｆ32＝Ｆ2 ＋ｆ22（＝2064.25MHz）である２つの信号が現れる。前記２次局部発振器３４にて用いられる周波数Ｆ2 も共聴信号の周波数帯域の範囲に入らないようにしてある。
【００３５】
ここで前記上り下り変換装置の低域透過フィルタ３５は、所定の低周波数帯域の信号のみを透過するもので、本実施形態では前記２次局部発振器３４により現れた２つの信号のうち周波数ｆ31の信号のみを透過し、周波数ｆ32の信号を阻止する。したがって、低域透過フィルタ３５に透過させることによって周波数ｆ31の信号が上り下り変換装置内の混合器３６へ出力されることとなる。この混合器３６は、低域透過フィルタ３５を透過した周波数ｆ31の信号を前記共聴信号と混合する。
【００３６】
ここで、周波数ｆ31（＝475.75MHz ）は、ＵＨＦの13チャンネルの映像周波数と一致しており、この信号が上り下り変換装置３０の混合器３６によって各住戸のテレビ３に送出されることによって、各住戸のテレビの13チャンネルにおいて該映像信号が出力される。また混合器３６により混合される信号の周波数は、掲示装置２０で発信する上り信号の周波数、１次局部発振器３２の発振周波数Ｆ1 及び２次局部発振器３４の発振周波数Ｆ2 を変えることで、任意に設定することができる。したがって発信者はこれら発振周波数の設定を行うことで、任意の空きチャンネルに連絡事項としての映像を出力することができる。
【００３７】
ここで前記掲示装置２０から発信された信号を１次局部発振信号と帯域フィルタ３３によって直接空きチャンネルの周波数に変換することも考えられないわけではないが、１次局部発振器３２の発振周波数がテレビに割り当てられている周波数帯域（90〜770MHz）になってしまい共聴信号に影響を与える場合がある。したがって、本実施形態においては、テレビに割り当てられている周波数帯域（90〜770MHz）よりも高い周波数で一度発振させ、その後に再度発振させることによって、他の共聴信号に対して影響を与えることなく、空きチャンネルに対応する周波数への割り当てを実現している。
【００３８】
また掲示装置２０から発信された信号を空きチャンネルの周波数に割り当てて各住戸に送出する上り下り変換装置３０を幹線ケーブルの受信部１の出力側に設置することによって、前記掲示装置２０を幹線ケーブルに接続さえしていればどこにでも設置することができる。したがって、各部屋に設けられたテレビ端子７に前記掲示装置２０を接続するだけで、連絡事項を各住戸に知らせることができる。
【００３９】
さてこれまで本発明の一実施形態について説明したが、本発明は上述の実施形態に限定されず、その技術的思想の範囲内において種々異なる形態にて実施されてよいものであり、以下、これら異なる形態について説明する。本実施形態において受信部１のアンテナ群１ａとしてＶＨＦ、ＵＨＦ、ＢＳ、ＣＳアンテナを使用したが、これらの組合せに限られるものではなく、例えば、ＣＡＴＶなどの受信装置をアンテナ群１ａに加えてもよい。
【００４０】
前記掲示装置２０の変調器として上り変調器２５を用い映像音声信号を中間周波数にて出力したが、発信すべき映像音声信号は必ずしも中間周波数である必要はなく、上り帯域内であればどのような周波数であってもよい。さらに前記掲示装置２０は、映像信号と音声信号の双方を発信することとしたが、映像信号のみ、あるいは音声信号のみを発信するものであってもよい。
【００４１】
また前記上り下り変換装置３０においては、２つの局部発振器により信号の周波数の変換を行ったが、上り下り変換装置３０に局部発振器を１つだけであってもよい。さらに前記掲示装置２０及び上り下り変換装置３０の電気的構成は図示のものに限られるものではなく、任意にフィルタや増幅器を加えてもよい。
【図面の簡単な説明】
【００４２】
【図１】本発明の一実施形態における全体の構成を示す図である。
【図２】図１に係る掲示装置の構成を示す図である。
【図３】図２に係る掲示装置の記憶部の構成を示す図である。
【図４】図２に係る掲示装置の上り変調器の構成を示す図である。
【図５】図１に係る上り下り変換装置の構成を示す図である。
【図６】図５に係る上り下り変換装置内での信号の周波数変化を示す図である。
【図７】従来の共聴システムの全体構成図である。
【符号の説明】
【００４３】
１ 受信部
３ テレビ
４ 幹線ケーブル
６ 分岐ケーブル
８ テレビケーブル
２０ 掲示装置
２５ 上り変調器
３０ 上り下り変換装置
３１ セパレータ
３２ １次局部発振器
３３ 帯域フィルタ
３４ ２次局部発振器
３５ 低域透過フィルタ
３６ 混合器
【図１】
2006054882.tif 000003
【図２】
2006054882.tif 000004
【図３】
2006054882.tif 000005
【図４】
2006054882.tif 000006
【図５】
2006054882.tif 000007
【図６】
2006054882.tif 000008
【図７】
2006054882.tif 000009